(57)【要約】本開示は、ページ表示方法、ページ表示装置、および電子デバイスに関し、ページ表示方法は、現在の表示ページに適用され、かつ前記現在の表示ページにおける表示対象の関連対象に合致する識別要素を取得するステップと、前記現在の表示ページ内であって前記表示対象に関連付けられた表示エリア内に、前記識別要素を表示するステップと、を備える。本開示の技術的解決手段によれば、対象間の関連性を識別することができ、これにより、ユーザのページ閲覧性を向上できる。
2017508223.tif 000002
【特許請求の範囲】
【請求項１】
現在の表示ページに適用され、かつ前記現在の表示ページにおける表示対象の関連対象に合致する識別要素を取得するステップと、
前記現在の表示ページ内であって前記表示対象に関連付けられた表示エリア内に、前記識別要素を表示するステップと、を備える、ページ表示方法。
【請求項２】
前記関連対象がデバイス全体であれば、前記表示対象は前記デバイス全体のアクセサリである、または、前記関連対象は前記デバイス全体と協働する別のデバイス全体であり、
前記関連対象がアクセサリであれば、前記表示対象は前記アクセサリに対応するデバイス全体である、または、前記表示対象は前記アクセサリとともに同じデバイス全体に適用される別のアクセサリである、請求項１に記載のページ表示方法。
【請求項３】
前記識別要素は、色、陰影、およびアイコンの少なくとも１つを有する、請求項１に記載のページ表示方法。
【請求項４】
前記関連対象に合致する前記識別要素のプロパティ情報は、前記関連対象の視覚的プロパティに関連付けられている、請求項１に記載のページ表示方法。
【請求項５】
前記表示対象が複数の関連対象に対応している場合、前記識別要素は、前記複数の関連対象それぞれに対応する複数の識別要素に対して、統合プロセスを行うことにより得られる統合された識別要素である、請求項１に記載のページ表示方法。
【請求項６】
前記識別要素に対するきっかけ操作を検出するステップと、
きっかけとなった識別要素に対応する関連対象の表示ページへジャンプするステップ、または、前記現在の表示ページ上にサブページを重ねて、きっかけとなった識別要素に対応する関連対象の情報を前記サブページにおいて表示するステップと、をさらに備える、請求項１に記載のページ表示方法。
【請求項７】
現在の表示ページに適用され、かつ前記現在の表示ページにおける表示対象の関連対象に合致する識別要素を取得する取得部と、
前記現在の表示ページ内であって前記表示対象に関連付けられた表示エリア内に、前記識別要素を表示する表示部と、を備える、ページ表示装置。
【請求項８】
前記関連対象がデバイス全体であれば、前記表示対象は前記デバイス全体のアクセサリである、または、前記表示対象は前記デバイス全体と協働する別のデバイス全体であり、
前記関連対象がアクセサリであれば、前記表示対象は前記アクセサリに対応するデバイス全体である、または、前記表示対象は前記アクセサリとともに同じデバイス全体に適用される別のアクセサリである、請求項７に記載のページ表示装置。
【請求項９】
前記識別要素は、色、陰影、およびアイコンの少なくとも１つを有する、請求項７に記載のページ表示装置。
【請求項１０】
前記関連対象に合致する前記識別要素のプロパティ情報は、前記関連対象の視覚的プロパティに関連付けられている、請求項７に記載のページ表示装置。
【請求項１１】
前記表示対象が複数の関連対象に対応している場合、前記識別要素は、前記複数の関連対象それぞれに対応する複数の識別要素に対して、統合プロセスを行うことにより得られる統合された識別要素である、請求項７に記載のページ表示装置。
【請求項１２】
前記識別要素に対するきっかけ操作を検出する検出部と、
きっかけとなった識別要素に対応する関連対象の表示ページへジャンプするように構成され、または、前記現在の表示ページ上にサブページを重ねて、きっかけとなった識別要素に対応する関連対象の情報を前記サブページにおいて表示するように構成された処理部と、をさらに備える、請求項７に記載のページ表示装置。
【請求項１３】
プロセッサと、
前記プロセッサにより実行可能な指令を格納するメモリと、を備え、
前記プロセッサは、
現在の表示ページに適用され、かつ前記現在の表示ページにおける表示対象の関連対象に合致する識別要素を取得して、前記現在の表示ページ内であって前記表示対象と関連付けられた表示エリア内に前記識別要素を表示するように構成されている、電子デバイス。
【発明の詳細な説明】
【技術分野】
【０００１】
（関連出願の相互参照）
本出願は、２０１４年１２月１１日に中華人民共和国国家知識産権局に出願された中国特許出願：出願番号２０１４１０７６６４１５．Ｘに基づいて優先権を主張するものであり、その中国特許出願の全内容が参照により本願明細書に援用される。
【０００２】
本開示は、インターネット技術の分野に関し、より具体的には、ページ表示方法、ページ表示装置、および電子デバイスに関する。
【背景技術】
【０００３】
ウェブサイトでは、ウェブページやＡＰＰ（アプリケーション）ページにおいて様々な表示対象がユーザに対して表示され、ユーザはそれぞれの表示対象の情報を閲覧することができる。
【発明の概要】
【０００４】
本開示は、関連技術における課題を解決するようなページ表示方法、ページ表示装置、および電子デバイスを提供する。
【０００５】
本開示の実施の形態の第１態様によれば、
現在の表示ページに適用され、かつ前記現在の表示ページにおける表示対象の関連対象に合致する識別要素を取得するステップと、
前記現在の表示ページ内であって前記表示対象に関連付けられた表示エリア内に、前記識別要素を表示するステップと、を備える、ページ表示方法を提供する。
【０００６】
また、前記関連対象がデバイス全体であれば、前記表示対象は前記デバイス全体のアクセサリである、または、前記関連対象は前記デバイス全体と協働する別のデバイス全体であり、
前記関連対象がアクセサリであれば、前記表示対象は前記アクセサリに対応するデバイス全体である、または、前記表示対象は前記アクセサリとともに同じデバイス全体に適用される別のアクセサリである。
【０００７】
また、前記識別要素は、色、陰影、およびアイコンの少なくとも１つを有する。
【０００８】
また、前記関連対象に合致する前記識別要素のプロパティ情報は、前記関連対象の視覚的プロパティに関連付けられている。
【０００９】
また、前記表示対象が複数の関連対象に対応している場合、前記識別要素は、前記複数の関連対象それぞれに対応する複数の識別要素に対して、統合プロセスを行うことにより得られる統合された識別要素である。
【００１０】
また、前記ページ表示方法は、
前記識別要素に対するきっかけ操作を検出するステップと、
きっかけとなった識別要素に対応する関連対象の表示ページへジャンプするステップ、または、前記現在の表示ページ上にサブページを重ねて、きっかけとなった識別要素に対応する関連対象の情報を前記サブページにおいて表示するステップと、をさらに備える。
【００１１】
本開示の実施の形態の第２態様によれば、
現在の表示ページに適用され、かつ前記現在の表示ページにおける表示対象の関連対象に合致する識別要素を取得する取得部と、
前記現在の表示ページ内であって前記表示対象に関連付けられた表示エリア内に、前記識別要素を表示する表示部と、を備える、ページ表示装置を提供する。
【００１２】
また、前記関連対象がデバイス全体であれば、前記表示対象は前記デバイス全体のアクセサリである、または、前記表示対象は前記デバイス全体と協働する別のデバイス全体であり、
前記関連対象がアクセサリであれば、前記表示対象は前記アクセサリに対応するデバイス全体である、または、前記表示対象は前記アクセサリとともに同じデバイス全体に適用される別のアクセサリである。
【００１３】
また、前記識別要素は、色、陰影、およびアイコンの少なくとも１つを有する。
【００１４】
また、前記関連対象に合致する前記識別要素のプロパティ情報は、前記関連対象の視覚的プロパティに関連付けられている。
【００１５】
また、前記表示対象が複数の関連対象に対応している場合、前記識別要素は、前記複数の関連対象それぞれに対応する複数の識別要素に対して、統合プロセスを行うことにより得られる統合された識別要素である。
【００１６】
また、前記ページ表示装置は、
前記識別要素に対するきっかけ操作を検出する検出部と、
きっかけとなった識別要素に対応する関連対象の表示ページへジャンプするように構成され、または、前記現在の表示ページ上にサブページを重ねて、きっかけとなった識別要素に対応する関連対象の情報を前記サブページにおいて表示するように構成された処理部と、をさらに備える。
【００１７】
本開示の実施の形態の第３態様によれば、
プロセッサと、
前記プロセッサにより実行可能な指令を格納するメモリと、を備え、
前記プロセッサは、
現在の表示ページに適用され、かつ前記現在の表示ページにおける表示対象の関連対象に合致する識別要素を取得して、前記現在の表示ページ内であって前記表示対象と関連付けられた表示エリア内に前記識別要素を表示するように構成されている、電子デバイスを提供する。
【００１８】
本開示の実施の形態において提供される技術的解決手段は、以下のような有利な効果を奏する。
【００１９】
本開示の技術的解決手段によれば、対応する表示対象と関連付けられた表示エリア内に関連対象の識別要素を表示することにより、ユーザは、推測に基づいて一つずつ参照して確認することなく、識別要素に基づいて表示対象と関連対象との間の関連性を理解することができる。これにより、ユーザ閲覧の効率性を向上させることができる。
【００２０】
上述した一般的な記述と以降の詳細な記載とは例示的なものであって、説明のためだけのものであり、クレームしているように、これらの記載は開示を限定するものではない。
【図面の簡単な説明】
【００２１】
添付の図面は、本明細書に取り込まれて本明細書の一部を構成し、記載とともに本開示に一致する態様を示し、本開示の原理を説明するのに役立つものである。
【図１】例示的な実施の形態にかかるページ表示方法を示すフローチャート
【図２】例示的な実施の形態にかかるインターフェースを示す模式図
【図３】例示的な実施の形態にかかるインターフェースを示す模式図
【図４】例示的な実施の形態にかかる対象間の関連性を示す模式図
【図５】例示的な実施の形態にかかるインターフェースを示す模式図
【図６】例示的な実施の形態にかかるインターフェースを示す模式図
【図７】例示的な実施の形態にかかるインターフェースを示す模式図
【図８】例示的な実施の形態にかかるインターフェースを示す模式図
【図９】例示的な実施の形態にかかるインターフェースを示す模式図
【図１０】例示的な実施の形態にかかるインターフェースを示す模式図
【図１１】例示的な実施の形態にかかるインターフェースを示す模式図
【図１２】例示的な実施の形態にかかるページ表示装置のブロック図
【図１３】例示的な実施の形態にかかるページ表示装置のブロック図
【図１４】例示的な実施の形態にかかるページを表示するデバイスのブロック図
【発明を実施するための形態】
【００２２】
例示的な実施の形態について、添付図面に示される例を参照して詳細に説明する。以下の記述における添付図面の参照において、特に断りのない限り、異なる図面中の同じ参照番号は、同じまたは類似の構成要素を示している。例示的な実施の形態についての記載された実施の態様は、本開示の全ての実施の態様を示すものではない。クレームに記載された本開示に関係する態様の方法および装置を単に例示するものに過ぎない。
【００２３】
例示的な実施の形態にかかるページ表示方法のフローチャートを図１に示す。図１に示すように、この方法は端末において適用され、以下のステップを含む。
【００２４】
ステップＳ１０２において、現在の表示ページに適用される識別要素が取得される。この識別要素は、現在の表示ページ内の表示対象に関連する関連対象に合致するものである。
【００２５】
本実施の形態において、関連対象は、表示対象と関連性を有する別の対象である。関連対象が現在の表示ページに表示されて、別の表示対象を形成するようにしてもよく、また、関連対象が現在の表示ページに表示されず、表示ページを置き換えることにより別の表示ページに表示されるようにしてもよい。
【００２６】
本実施の形態において、対象の間の関連性は様々なタイプのものがある。例えば、関連対象がデバイス全体である場合には、表示対象はデバイス全体のアクセサリであってもよい。例えば、関連対象が「シャオミ・モバイルフォン」であり、表示対象が「スクリーンフィルム」、「モバイルフォンの背面カバー」などであってもよい。あるいは、表示対象が、関連対象と協働する別のデバイス全体であってもよい。例えば、関連対象が「シャオミ・モバイルフォン」であり、表示対象が「モバイルパワーバンク」、「ブルートゥースヘッドセット」などであってもよい。
【００２７】
あるいは、関連対象がアクセサリである場合には、表示対象はアクセサリに対応するデバイス全体であってもよい。例えば、関連対象が「スクリーンフィルム」であり、表示対象が「シャオミ・モバイルフォン」であってもよい。あるいは、表示対象が、関連対象とともに同じデバイス全体に適用される別のアクセサリであってもよい。例えば、関連対象が「スクリーンフィルム」であり、表示対象が「モバイルフォンの背面カバー」であってもよい。
【００２８】
ステップＳ１０４において、現在の表示ページ内であって表示対象に関連付けられた表示エリア内に識別要素が表示される。
【００２９】
ユーザが、「シャオミ・モバイルフォン」を購入した後、「シャオミ・モバイルフォン」に適用される全てのアクセサリおよびデバイス全体（すなわち、関連対象）を見つけたいと望んでいるとすると、関連技術においては、入手可能な全てのアクセサリおよびデバイス全体をユーザが前もって知った上で、これらのアクセサリおよびデバイス全体を直接閲覧する必要があり、そうでなければ、ユーザが多くの対象を一つずつ閲覧していく必要があり、これらはユーザにおける閲覧の効率性に大きく影響する。
【００３０】
そのため、本実施の形態では、表示対象に関連付けられた表示エリア内に関連対象の識別要素を表示することにより、ユーザは、「シャオミ・モバイルフォン」の表示ページを単に閲覧することだけが必要であり、前もって知っていることや一つずつ閲覧していることは必要ではない。すなわち、「シャオミ・モバイルフォン」が現在の表示ページの表示対象として用いられる場合には、「シャオミ・モバイルフォン」に適用される全てのアクセサリおよびデバイス全体が特定されるように、「シャオミ・モバイルフォン」に対応する関連した表示エリア内において、関連対象の識別要素が閲覧されればよい。
【００３１】
モバイルフォンにおいて「デバイスストア」を例として、本開示の技術的解決手段について詳細に記述する。もちろん、当業者であれば、本開示の技術的解決手段が様々な種類の電子デバイスにおける様々な種類の表示ページに適用してもよく、本開示に限定されないことを理解すべきである。
【００３２】
１．関連した表示エリア
【００３３】
図２に示すように、現在の表示ページは「デバイスストア」のホームページとしてもよい。図２では５つの表示対象を示しており、「シャオイ・インテリジェントカメラ」が上部に、「シャオミ・リストバンド」および「シャオミ・ルータミニ」が中央に、「シャオミ・ＴＶ」および「シャオミ・ルータ」が下部に表示されている（対応するサムネイル画像のみが図５において表示されており、ページを上方にフリップすることで、対応するテキストが表示される）。
【００３４】
例示的な実施の形態として、図２に示される「デバイスストア」のホームページに対して、それぞれの表示対象に対応する関連した表示エリアを太線で囲んで図３（ａ）に示す。「デバイスストア」のホームページが複数の表示対象を含むため、各表示対象に関連付けられた表示エリアが各表示対象を囲むように位置されているため、「表示対象」と「表示エリア」との間の関連性が誤って認識されないように視覚的に設けられていることが、明らかに分かる。
【００３５】
別の例示的な実施の形態として、図２の表示対象のいずれか１つがきっかけとなって、ユーザが対応する詳細ページを閲覧してもよい。例えば、ユーザが「シャオミ・リストバンド」をクリックした場合、図３（ｂ）に示す「シャオミ・リストバンド」の詳細ページが表示される。図３（ｂ）では１つの表示対象である「シャオミ・リストバンド」だけしか含まれていないため、誤って認識されることはない。そのため、「シャオミ・リストバンド」に関連付けられた表示エリアとして、詳細ページ全体の中のあらゆる位置を用いることができる。
【００３６】
２．関連性
【００３７】
上述したように、対象はデバイス全体またはアクセサリであってもよく、関連性は、１つのデバイス全体と別の１つのデバイス全体との間の関連性であってもよく、あるいは、アクセサリとデバイス全体との間の関連性であってもよく、あるいは１つのアクセサリと別の１つのアクセサリとの間の関連性であってもよい。図２に示すデバイス全体（例えば、シャオミ・リストバンド、シャオミ・ＴＶ、など）に基づいて、１つのデバイス全体と別の１つのデバイス全体との間の関連性を取得する場合を例として、関連性について以下に詳細を記述する。
【００３８】
図４に示すように、対象間の複合的な関連性が存在している。例えば、シャオイ・インテリジェントカメラ、シャオミ・リストバンド、シャオミ・ＴＶ、シャオミ・ルータミニ、シャオミ・ルータ、など図２に示す対象間において、例えば、シャオイ・インテリジェントカメラが、シャオミ・ＴＶ、シャオミ・ルータミニ、およびシャオミ・ルータに適用されてもよいというような関連性が存在している。そのため、「シャオイ・インテリジェントカメラ−シャオミ・ＴＶ」、「シャオイ・インテリジェントカメラ−シャオミ・ルータミニ」、および「シャオイ・インテリジェントカメラ−シャオミ・ルータ」の関連性が存在してもよい。シャオミ・リストバンドはシャオミ・ＴＶに適用されてもよく、この場合、「シャオミ・リストバンド−シャオミ・ＴＶ」などの関連性が存在してもよい。
【００３９】
したがって、対象間における関連性の組み合わせや整合性に基づいて、対象間の関連性が予め決定されてもよく、これにより、対応する識別要素の表示を実現することができる。
【００４０】
３．識別要素の表示
【００４１】
本開示の技術的解決手段において、異なる対象を区別して示すために用いられるいかなる要素が、識別要素として用いられてもよいこと、例えば、識別要素が、色、陰影、およびアイコンの少なくとも１つを含んでもよいことを、当業者であれば理解すべきである。
【００４２】
表示対象の関連性としては、表１に示すようなものが考えられる。
【表１】
2017508223.tif 000003
【００４３】
例示的な実施の形態として、「デバイスストア」のホームページに対して、各表示対象に関連付けられた表示エリア内に表示された関連対象に対応する識別要素が、「色」として、図５に示されている。図５に示すように、図３（ａ）に示された関連した表示エリア内に、対応する関連対象を表示するそれぞれの識別要素が、図５に示されるカラーブロックの形態として表示されてもよい。
【００４４】
もちろん、図面の表示効果に影響を与えないように図面においては白黒線のパターンとして示されるため、図５においてカラーブロックが採用されてもよい。実際、大きなサイズのカラーブロックが採用されてもよく、カラー１、カラー２、カラー３、カラー４、およびカラー５が、表示対象のカラーパターンやテキストなどを調整することにより、表示対象のパターンに統合されてもよい（「シャオミ・リストバンド」に対して、「シャオミ・リストバンドのテキストの上方の四角いボックスとしてもよい」）。これにより、より良い視覚的効果を得ることができる。
【００４５】
さらに、図５の各対象に対応するカラーは、単色または混合色であってもよい。例えば、「シャオミ・ルータ」は「カラー１」に対応するが、この「カラー１」は純色（赤色など）であってもよく、様々な色の組み合わせ（赤色と白色との組み合わせ）であってもよい。
【００４６】
別の例示的な実施の形態として、「デバイスストア」のホームページを例として、関連対象の識別要素として「アイコン」が採用される形態を図６に示す。表１に示すように、「シャオイ・インテリジェントカメラ」の関連対象は「シャオミ・ＴＶ」、「シャオミ・ルータミニ」、および「シャオミ・ルータ」であってもよい。上述した関連対象に対応するアイコンが「シャオイ・インテリジェントカメラ」と関連付けられた表示エリア内に表示されてもよい。これにより、ユーザは、これら対象の関連性、すなわち、「シャオイ・インテリジェントカメラ」が、「シャオミ・ＴＶ」、「シャオミ・ルータミニ」、および「シャオミ・ルータ」と協働するという関連性を直接的に理解することができる。
【００４７】
別の例示的な実施の形態として、例えば「デバイスストア」のホームページを例として、関連対象の識別要素として「陰影」が用いられる形態を図７に示す。説明を簡単にするために、図７において、「シャオミ・リストバンド」が「シャオミ・モバイルフォン」に関連付けられ、「シャオミ・ルータミニ」が「シャオイ・インテリジェントカメラ」および「シャオミ・ＴＶ」のそれぞれに関連付けられているものとする。したがって、「シャオミ・モバイルフォン」に対応する斜線ストライプパターンが「シャオミ・リストバンド」に関連付けられた表示エリアの陰影として用いられてもよい。また、「シャオイ・インテリジェントカメラ」および「シャオミ・ＴＶ」のそれぞれに対応する水平ストライプパターンおよび垂直ストライプパターンの組み合わせが「シャオミ・ルータミニ」に関連付けられた表示エリアの陰影として用いられてもよい。
【００４８】
留意すべき事項
【００４９】
Ａ．図５〜図７のそれぞれでは、識別要素として、色、アイコン、および陰影を適用する実施の形態について示したが、互いに組み合わせた様々な形態を適用してよい。例えば、色とアイコンとの組み合わせ、色と陰影との組み合わせ、アイコンと陰影との組み合わせなど、あるいは、色とアイコンと陰影との組み合わせを適用してもよい。これにより、視覚的に強い識別効果を得ることができ、対象の間の関連性を明らかに示すことができる。
【００５０】
Ｂ．識別要素が複数の対象の間における関連性を視覚的に示すため、関連対象に合致する識別要素のプロパティ情報が、関連対象における視覚的なプロパティに関連付けられる。
【００５１】
「色」を適用する例として、「シャオミ・モバイルフォン」の色は黒色と白色であり、「シャオミ・ＴＶ」の色は金色であり、「シャオミ・リストバンド」の色は飴色であるため、ユーザがその色を見たときに関連対象に対応するものを自然に思い浮かべることができるように、識別要素の色に対応するプロパティを設定することができる。これにより、ユーザの学習量を少なくしながら、閲覧性を高めることができる。
【００５２】
同様にアイコンとしては、極めて高い識別性を有するような関連対象のサムネイル画像や構造図を直接的に適用してもよい。陰影としては、関連対象における表面素材の質感、例えば、シャオミ・モバイルフォンの背面カバーの質感に基づいて陰影を作成してもよい。また、関連対象のアイコンを対応する「陰影」に変形することにより陰影を作成してもよい。このような手法によれば、ユーザは陰影と関連対象とを容易に関係付けることができる。
【００５３】
Ｃ．表示対象が複数の関連対象に対応しているような場合には、複数の関連対象それぞれに対応する複数の識別要素に対して統合プロセスを行うことにより得られる統合された識別要素を、識別要素としてもよい。
【００５４】
例えば、色の場合、「シャオミ・ルータ」が「シャオミ・ＴＶ」および「シャオイ・インテリジェントカメラ」に対応し、「シャオミ・ＴＶ」が「金色」に対応し、「シャオイ・インテリジェントカメラ」が「白色」に対応するような場合、各対象に対応するカラーブロックを、図５に示す形態に適用してもよい。また、「金色」と「白色」とに対して統合プロセスを行って、「金・白」色というような統合された識別要素を作成してもよい。この場合、この「金・白」色によって指定された１つのみのカラーブロックが表示される必要がある。
【００５５】
同様に、複数のアイコンまたは複数の陰影に対して統合プロセスを行って、対応する統合された識別要素を作成するようにしてもよい。
【００５６】
また、図５〜図７と同様に、図３（ｂ）に示す詳細ページにおいて対応する識別要素を表示してもよい。図３（ｂ）における「シャオミ・リストバンド」の詳細ページを例として、識別要素を表示する方法について記述する。
【００５７】
図８に示すように、「シャオミ・リストバンド」が「シャオミ・ＴＶ」と「シャオミ・モバイルフォン」とに関連付けられている場合を考える。例示的な実施の形態として、図５に示すカラーブロックと同様な形態において、「シャオミ・ＴＶ」および「シャオミ・モバイルフォン」のそれぞれに対応するカラーブロックは、「シャオミ・リストバンド」のテキストの右側に表示するカラー３およびカラー４である。または、別の例示的な実施の形態として、「買い物カゴに追加」、「今購入」などのようなページ内のファンクションボタンに関して、「シャオミ・ＴＶ」および「シャオミ・モバイルフォン」に対応するカラーに基づいて、これらのファンクションボタンのカラープロパティを設定してもよい。
【００５８】
図９に示すように、「アイコン」の形態に基づく関連対象の識別要素を図９（ａ）に示す。例えば、「シャオミ・ＴＶ」および「シャオミ・モバイルフォン」のそれぞれに対応するアイコンが、「シャオミ・リストバンド」テキストの右側に表示されてもよい。「陰影」の形態に基づく関連対象の識別要素を図９（ｂ）に示す。例えば、「シャオミ・ＴＶ」および「シャオミ・モバイルフォン」のそれぞれに対応する水平ストライプパターンと垂直ストライプパターンとが「シャオミ・リストバンド」のテキストが配置された位置（あるいは、その他の位置）に表示されてもよい。
【００５９】
４．識別要素に対するきっかけ操作
【００６０】
識別要素に基づいて、表示対象と関連対象との間の関連性が定められてもよく、ユーザにとって対象間の関連性が理解しやすくなる。これに基づき、表示対象が表示されるページにおいて、ユーザは関連対象についてのさらなる情報を求めるようになり、以下の操作を行ってもよい。
（１）識別要素に対するきっかけ操作を検出する。
（２）きっかけとなった識別要素に対応する関連対象の表示ページを表示させる。あるいは、現在の表示ページにサブページを重ねて、きっかけとなった識別要素に対応する関連対象の情報を、サブページにおいて表示させる。
【００６１】
操作（２）を行う２つの処理方法を設けてもよく、「アイコン」形態の識別要素を例として、それぞれの処理方法について以下に説明する。
【００６２】
例示的な実施の形態として、図１０（ａ）に示すように、ユーザは「シャオミ・リストバンド」の詳細ページにおいて「シャオミ・ＴＶ」のアイコンを指で直接クリックして、関連対象である「シャオミ・ＴＶ」の情報閲覧のきっかけとしてもよい。図１０（ｂ）に示すように、ユーザのきっかけ操作に応じて、「シャオミ・ＴＶ」の詳細ページが直接表示されて、このページにおいて、ユーザは「シャオミ・ＴＶ」の詳細を直接閲覧してもよい。
【００６３】
ユーザが「シャオミ・リストバンド」の詳細ページに戻ることを望むような場合には、図１０（ｂ）に示す「シャオミ・ＴＶ」の詳細ページにおける「シャオミ・リストバンド」のアイコンを直接的なきっかけとして、「シャオミ・リストバンド」の詳細ページを表示させるようにしてもよい。または、ユーザは、「シャオミ・ＴＶ」の詳細ページの左上隅のリターンキー「＜」をクリックして、前のページ（すなわち、「シャオミ・リストバンド」の詳細ページ）に戻るようにしてもよい。
【００６４】
別の例示的な実施の形態として、図１１（ａ）に示すように、ユーザは「シャオミ・リストバンド」の詳細ページにおける「シャオミ・ＴＶ」のアイコンを指で直接クリックして、関連対象である「シャオミ・ＴＶ」の情報を閲覧するきっかけとしてもよい。図１１（ｂ）に示すように、ユーザのきっかけ操作に応じて「シャオミ・リストバンド」の詳細ページにサブページ（例えば、図１１（ｂ）に示す「吹き出し」ウィンドウ）を重ねて、「シャオミ・ＴＶ」の情報をこのサブページに表示させてもよい。図１０（ｂ）に示す詳細ページの内容がサブページに表示されるのと同様に、「シャオミ・ＴＶ」の詳細情報はサブページに表示されてもよい。また、図１１（ｂ）に示す概略内容が表示されて、ユーザがサブページにおける「さらに詳しく」ボタンをクリックすることで、図１０（ｂ）に示す詳細ページを表示するようにしてもよい。
【００６５】
ユーザが「シャオミ・リストバンド」の詳細ページに戻ることを望む場合、ユーザはサブページにおける「シャオミ・リストバンド」のアイコンを直接きっかけとして、「シャオミ・リストバンド」の詳細ページを表示させるようにしてもよい。また、ユーザは「シャオミ・リストバンド」の詳細ページにおいて、サブページに覆われていないエリアをクリックして、サブページの表示をキャンセルして、「シャオミ・リストバンド」の詳細ページに戻るようにしてもよい。
【００６６】
本開示は、上述したページ表示方法の実施の形態に対応したページ表示装置の実施の形態を提供する。
【００６７】
例示的な実施の形態にかかるページ表示装置のブロック図を図１２に示す。図１２に示すように、ページ表示装置は、取得部１２０２と、表示部１２０４とを含む。
【００６８】
取得部１２０２は、現在の表示ページに適用される識別要素を取得するように構成されている。識別要素は、現在の表示ページ内の表示対象の関連対象に合致するものである。表示部１２０４は、現在の表示ページ内であって表示対象と関連付けられた表示エリア内に、識別要素を表示するように構成されている。
【００６９】
また、関連対象がデバイス全体であれば、表示対象は、デバイス全体のアクセサリ、あるいは、デバイス全体と協働する別のデバイス全体である。関連対象がアクセサリであれば、表示対象は、アクセサリに対応するデバイス全体、あるいは、アクセサリとともに同じデバイス全体に適用される別のアクセサリである。
【００７０】
また、識別要素は、色、陰影、およびアイコンの少なくとも１つを含む。
【００７１】
また、関連対象に合致する識別要素のプロパティ情報は、関連対象の視覚的プロパティに関連付けられている。
【００７２】
また、表示対象が複数の関連対象に対応する場合、識別要旨は、複数の関連対象それぞれに対応する複数の識別要素に対して統合プロセスを行うことにより得られる統合された識別要素となる。
【００７３】
例示的な実施の形態にかかる別のページ表示装置のブロック図を図１３に示す。図１３に示すように、この実施の形態では、図１２の実施の形態に加えて、検出部１２０６と処理部１２０８とをさらに含む。
【００７４】
検出部１２０６は、識別要素に対するきっかけ操作を検出するように構成されている。処理部１２０８は、きっかけとなった識別要素に対応する関連対象の表示ページにジャンプするように構成されている。また、処理部１２０８は、現在の表示ページ上にサブページを重ねて、きっかけとなった識別要素に対応する関連対象の情報をサブページにおいて表示するように構成されている。
【００７５】
上述の実施の形態の装置に関して、個々のモジュールの動作を実施する具体的な方法は、方法の形態に関する実施の形態において記述した通りであり、ここでは再度詳述しない。
【００７６】
装置の実施の形態は方法の実施の形態と実質的に対応するため、装置の実施の形態における関連部分に関しては、方法の実施の形態における対応部分が参照される。上述の装置の実施の形態は単に例示したものであり、それぞれの実施の形態において、各構成部は、独立した部分であってもよく、また、物理的に独立していない部分であってもよい。構成部として示された部分は、物理的な部分であってもよく、物理的な部分でなくてもよく、すなわち、ある場所に配置されていてもよく、複数のネットワークユニットに割り振られていてもよい。本開示の目的を達成するために、実際の要望にしたがって部分やモジュールが選択される。本開示の解決手段を実行するための実際上の必要性、すなわち、創作的な作業なしに当業者によって理解され、実行されるような実際上の必要性にしたがって、部分やモジュールが選択されてもよい。
【００７７】
したがって、本開示はページ表示装置を提供する。ページ表示装置は、プロセッサと、プロセッサにより実行される指令を格納するメモリと、を備え、プロセッサは、現在の表示ページに適用される識別要素であって、現在の表示ページにおける表示対象の関連対象に合致する識別要素を取得して、現在の表示ページ内であって表示対象と関連付けられた表示エリア内に識別要素を表示するように構成される。
【００７８】
したがって、本開示は端末を提供する。端末は、メモリと、メモリに格納される１または複数のプログラムとを備え、プログラムは、１または複数のプロセッサにより実行されるように構成され、プログラムは、現在の表示ページに適用される識別要素であって、現在の表示ページにおける表示対象の関連対象に合致する識別要素を取得して、現在の表示ページ内であって表示対象と関連付けられた表示エリア内に識別要素を表示する動作を実行するための指令を含む。
【００７９】
例示的な実施の形態にかかるページを表示するデバイス１４００のブロック図を図１４に示す。例えば、デバイス１４００は、モバイルフォン、コンピュータ、デジタル放送端末、メッセージデバイス、ゲーム機、タブレット、医療デバイス、エクソサイズ機器、携帯情報端末などであってもよい。
【００８０】
図１４に示すように、デバイス１４００は、１または複数の構成部を備えており、処理部１４０２、メモリ１４０４、電源部１４０６、マルチメディア部１４０８、音声部１４１０、入出力（Ｉ／Ｏ）インターフェース１４１２、センサ部１４１４、および、通信部１４１６を備える。
【００８１】
処理部１４０２は、主として、デバイス１４００の全体的な動作、例えば、画面、電話、データ通信、カメラ動作、および記憶動作を制御する。処理部１４０２は、上述した方法において全てまたは一部のステップを行う指令を実行する１または複数のプロセッサ１４２０を含んでもよい。また、処理部１４０２は、処理部１４０２と他の構成部との間の相互作用を容易にするような１または複数のモジュールを含んでもよい。例えば、処理部１４０２は、マルチメディア部１４０８と処理部１４０２との間の相互作用を促させるマルチメディアモジュールを含んでもよい。
【００８２】
メモリ１４０４は、デバイス１４００の動作を支援する様々な種類のデータを記憶する。そのようなデータの例としては、デバイス１４００を動作させるアプリケーションや方法のための指令、接続データ、電話帳データ、メッセージ、画像、動画などが含まれる。メモリ１４０４は、あらゆる種類の揮発性もしくは不揮発性メモリ装置、または、それらの組み合わせを用いることによって構成されてもよい。例えば、スタティックＲＡＭ（ＳＲＡＭ）、電気的消去可能ＰＲＯＭ（ＥＥＰＲＯＭ）、消去可能ＰＲＯＭ（ＥＰＲＯＭ）、プログラム可能型読み取り専用メモリ（ＰＲＯＭ）、読み取り専用メモリ（ＲＯＭ）、磁気メモリ、フラッシュメモリ、磁気もしくは光学ディスクであってもよい。
【００８３】
電源部１４０６は、デバイス１４００の様々な構成部へ電力を供給する。電源部１４０６は、パワーマネジメントシステム、１または複数の電源、および、デバイス１４００の電源、パワーマネジメント、電力分配に関係するその他の構成要素を含んでもよい。
【００８４】
マルチメディア部１４０８は、デバイス１４００とユーザとの間の出力インターフェースを提供する画面を含む。いくつかの実施の形態では、画面は、液晶画面（ＬＣＤ）およびタッチパネル（ＴＰ）を含んでもよい。画面がタッチパネルを含む場合には、画面はユーザからの入力信号を受け取るタッチ画面となる。タッチパネルは、タッチパネルにおけるタッチ、スワイプ、およびジェスチャーを感知する１または複数のタッチセンサを備える。タッチセンサは、タッチやスワイプ操作の境界を感知するたけでなく、タッチやスワイプ操作に関係した操作時間および圧力を感知してもよい。いくつかの実施の形態において、マルチメディア部１４０８は、フロントカメラおよび／またはリアカメラを備える。デバイス１４００が、撮像モードや動画モードなどオペレーションモードにある場合に、フロントカメラおよびリアカメラは外部マルチメディアデータを受け取ってもよい。フロントカメラおよびリアカメラのそれぞれは、光学レンズシステムが固定されていてもよく、また、ピント機能および光学ズーム機能を有していてもよい。
【００８５】
音声部１４１０は、音声信号を出力および／または入力する。例えば、音声部１４１０は、デバイス１４００が、電話モード、録音モード、および音声認識モードのようなオペレーションモードにある場合に、外部音声信号を受け取るマイク（ＭＩＣ）を備える。受信した音声信号は、メモリ１４０４に記憶される、または、通信部１４１６を通じて伝送される。いくつかの実施の形態では、音声部１４１０は、音声信号を出力するスピーカをさらに備える。
【００８６】
Ｉ／Ｏインターフェース１４１２は、処理部１４０２と周囲のインターフェースモジュールとの間のインターフェースとして、例えば、キーボード、クリックホイール、およびボタンなどのインターフェースを提供する。ボタンとしては、限定されないが、ホームボタン、ボリュームボタン、スタートボタン、およびロックボタンを含んでもよい。
【００８７】
センサ部１４１４は、デバイス１４００の様々な態様の状態評価を提供するような１または複数のセンサを含む。例えば、センサ部１４１４は、デバイス１４００のオープン／クローズド状態、デバイス１４００の構成部、例えば、画面とキーボードの相対位置、デバイス１４００自体またはデバイス１４００の構成部の位置変化、デバイス１４００へのユーザコンタクトの有無、デバイス１４００の向きや加速度／減速度、およびデバイス１４００の温度変化を検出してもよい。センサ部１４１４は、物理的接触無しで近くの対象物の存在を検出するような近接センサを含んでもよい。センサ部１４１４は、画像アプリケーションに用いられるＣＭＯＳやＣＣＤなどの光センサを含んでもよい。いくつかの実施の形態では、センサ部１４１４は、加速度センサ、ジャイロセンサ、磁気センサ、圧力センサ、または温度センサを含んでもよい。
【００８８】
通信部１４１６は、デバイス１４００と他の装置との間の有線または無線の通信を行う。デバイス１４００は、例えば、ＷｉＦｉ、２Ｇ、もしくは３Ｇ、または、それらの組み合わせのような通信規格に基づく無線ネットワークにアクセスすることができる。１つの例示的な実施の形態において、通信部１４１６は、放送チャンネルを通じて、外部放送マネジメントシステムから放送信号または放送関連情報を受信する。１つの例示的な実施の形態において、通信部１４１６は、近距離の通信に役立つ近距離無線通信（ＮＦＣ）モジュールを含む。例えば、ＮＦＣモジュールは、無線自動識別（ＲＦＩＤ）技術、赤外線通信規格（ＩｒＤＡ）技術、超広域帯（ＵＷＢ）技術、ブルートゥース（ＢＴ）技術、および他の技術に基づくようなものであってもよい。
【００８９】
例示的な実施の形態において、デバイス１４００は、上述した方法を実行するための、特定用途向け集積回路（ＡＳＩＣｓ）、デジタル・シグナル・プロセッサ（ＤＳＰｓ）、デジタル・シグナル処理装置（ＤＳＰＤｓ）、プログラム可能論理回路（ＰＬＤｓ）、フィールド・プログラマブル・ゲート・アレイ（ＦＰＧＡｓ）、コントローラ、マイクロコントローラ、マイクロプロセッサ、または他の電子構成要素によって構成されてもよい。
【００９０】
例示的な実施の形態において、一時的でないコンピュータ読み取り可能記憶媒体は、上述の方法を実行するために、メモリ１４０４に記憶され、デバイス１４００のプロセッサ１４２０によって実行可能な指令を含む。例えば、一時的でないコンピュータ読み取り可能記憶媒体は、ＲＯＭ、ＲＡＭ、ＣＤ−ＲＯＭ、磁気テープ、磁気ディスク、光学データ記憶装置などであってもよい。
【００９１】
当業者にとっては、本発明の他の実施形態は、ここで開示された本発明の明細書及び実施態様から明らかである。本願は、本発明の一般的原則に従い、かつ当該技術分野において知られ、又は慣行的に実施されている範囲内での本開示からの逸脱を含む、本発明の変形、使用、又は適用をカバーすることを意図している。明細書及び実施例は、例示的なもののみが考慮されているが、本発明の真の範囲及び精神は、以下の特許請求の範囲によって示されることが意図されている。
【００９２】
本発明は、上述され、かつ添付の図面に示された厳密な構成に限定されるものではなく、本発明の範囲から逸脱することなく様々な修正及び変更が可能であることは明らかである。本発明の範囲は、添付の特許請求の範囲によってのみ限定されることが意図されている。
【図１】
2017508223.tif 000004
【図２】
2017508223.tif 000005
【図３】
2017508223.tif 000006
【図４】
2017508223.tif 000007
【図５】
2017508223.tif 000008
【図６】
2017508223.tif 000009
【図７】
2017508223.tif 000010
【図８】
2017508223.tif 000011
【図９】
2017508223.tif 000012
【図１０】
2017508223.tif 000013
【図１１】
2017508223.tif 000014
【図１２】
2017508223.tif 000015
【図１３】
2017508223.tif 000016
【図１４】
2017508223.tif 000017
【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
現在の表示ページに適用され、かつ前記現在の表示ページにおける表示対象の関連対象に合致する識別要素を取得するステップと、
前記現在の表示ページ内であって前記表示対象に関連付けられた表示エリア内に、前記識別要素を表示するステップと、を備える、ページ表示方法。
【請求項２】
前記関連対象がデバイス全体であれば、前記表示対象は前記デバイス全体のアクセサリである、または、前記関連対象は前記デバイス全体と協働する別のデバイス全体であり、
前記関連対象がアクセサリであれば、前記表示対象は前記アクセサリに対応するデバイス全体である、または、前記表示対象は前記アクセサリとともに同じデバイス全体に適用される別のアクセサリである、請求項１に記載のページ表示方法。
【請求項３】
前記識別要素は、色、陰影、およびアイコンの少なくとも１つを有する、請求項１または２に記載のページ表示方法。
【請求項４】
前記関連対象に合致する前記識別要素のプロパティ情報は、前記関連対象の視覚的プロパティに関連付けられている、請求項１から３のいずれか１つに記載のページ表示方法。
【請求項５】
前記表示対象が複数の関連対象に対応している場合、前記識別要素は、前記複数の関連対象それぞれに対応する複数の識別要素に対して、統合プロセスを行うことにより得られる統合された識別要素である、請求項１から４のいずれか１つに記載のページ表示方法。
【請求項６】
前記識別要素に対するきっかけ操作を検出するステップと、
きっかけとなった識別要素に対応する関連対象の表示ページへジャンプするステップ、または、前記現在の表示ページ上にサブページを重ねて、きっかけとなった識別要素に対応する関連対象の情報を前記サブページにおいて表示するステップと、をさらに備える、請求項１から５のいずれか１つに記載のページ表示方法。
【請求項７】
現在の表示ページに適用され、かつ前記現在の表示ページにおける表示対象の関連対象に合致する識別要素を取得する取得部と、
前記現在の表示ページ内であって前記表示対象に関連付けられた表示エリア内に、前記識別要素を表示する表示部と、を備える、ページ表示装置。
【請求項８】
前記関連対象がデバイス全体であれば、前記表示対象は前記デバイス全体のアクセサリである、または、前記表示対象は前記デバイス全体と協働する別のデバイス全体であり、
前記関連対象がアクセサリであれば、前記表示対象は前記アクセサリに対応するデバイス全体である、または、前記表示対象は前記アクセサリとともに同じデバイス全体に適用される別のアクセサリである、請求項７に記載のページ表示装置。
【請求項９】
前記識別要素は、色、陰影、およびアイコンの少なくとも１つを有する、請求項７または８に記載のページ表示装置。
【請求項１０】
前記関連対象に合致する前記識別要素のプロパティ情報は、前記関連対象の視覚的プロパティに関連付けられている、請求項７から９のいずれか１つに記載のページ表示装置。
【請求項１１】
前記表示対象が複数の関連対象に対応している場合、前記識別要素は、前記複数の関連対象それぞれに対応する複数の識別要素に対して、統合プロセスを行うことにより得られる統合された識別要素である、請求項７から１０のいずれか１つに記載のページ表示装置。
【請求項１２】
前記識別要素に対するきっかけ操作を検出する検出部と、
きっかけとなった識別要素に対応する関連対象の表示ページへジャンプするように構成され、または、前記現在の表示ページ上にサブページを重ねて、きっかけとなった識別要素に対応する関連対象の情報を前記サブページにおいて表示するように構成された処理部と、をさらに備える、請求項７から１１のいずれか１つに記載のページ表示装置。
【請求項１３】
コンピュータ上で走らせた際に、請求項１から６のいずれか１つに記載のページ表示方法を前記コンピュータに実行させる、コンピュータプログラム。
【請求項１４】
請求項１３に記載のコンピュータプログラムが記憶されたコンピュータ読み取り可能媒体。
【国際調査報告】
2017508223.tif 000018
2017508223.tif 000019
2017508223.tif 000020
2017508223.tif 000021